(57)【特許請求の範囲】
【請求項１】
通信ネットワークと接続して得た情報を表示部に画面表示する携帯通信端末において地図画面提供サービスシステムの地図サーバに要求して目的とする地図情報を取得し前記表示部に画面表示する方法であって、複数の前記携帯通信端末がグループを形成し、前記地図サーバが前記目的の地図情報に縦横に分割した桝目の位置情報を付加する機能を有し、前記携帯通信端末それぞれは、ユーザから前記地図画面提供サービスシステムの同一ＵＲＬ（Uniform Resource Locator)と前記縦横の分割数による桝目サイズとを受けてこのＵＲＬにアクセスし、前記目的とする同一地図情報に同一の前記桝目を付加した地図情報を取得して画面表示し、かつ、少なくとも一つの前記携帯通信端末は、ユーザから表示画面のそれぞれで異なる桝目位置の指定を受けて前記地図サーバに要求し、この指定された表示画面を拡大表示した前記同一地図情報の部分詳細拡大地図を得て前記表示部に画面表示することを特徴とする地図画面表示方法。
【請求項２】
請求項１において、グループを形成する複数の前記携帯通信端末は通信ネットワークと接続して電子メールを可能とし、その中の一つの携帯通信端末は、主となり、地図画面提供サービスシステムのＵＲＬ（Uniform Resource Locator)にアクセスし、一つの目的の地図情報を取得して画面表示し、かつこの表示画面のＵＲＬデータを残りの携帯通信端末に電子メールにより通知し、かつ、この電子メールを受けた携帯通信端末は、従となり、受けたＵＲＬにアクセスして前記地図情報と同一の地図情報を画面表示するもので、かつ、少なくとも一つの前記従となる携帯通信端末は表示画面の一部を拡大表示することを特徴とする地図画面表示方法。
【請求項３】
請求項１または請求項２において、前記拡大表示は、縮尺を変更して表示することを特徴とする地図画面表示方法。
【請求項４】
通信ネットワークと接続して得た情報を表示部に画面表示する携帯通信端末において地図画面提供サービスシステムの地図サーバに要求して目的とする地図情報を取得し前記表示部に画面表示するシステムであって、複数の前記携帯通信端末がグループを形成し、
前記携帯通信端末それぞれは、ユーザから地図画面提供サービスシステムの同一ＵＲＬ（Uniform Resource Locator)と前記目的の地図情報を縦横（ｍ・ｎ）に分割した桝目サイズ（ｍ×ｎ）とを受けてこのＵＲＬにアクセスする手段と、前記目的とする同一地図情報に前記桝目サイズの桝目を付加された画面情報を取得して同一の桝目付加画面を表示する手段と、ユーザから表示画面のそれぞれで異なる桝目位置の指定を受けて前記地図サーバに要求する手段と、この指定された範囲の画面を拡大表示する前記同一地図情報の部分詳細を前記地図サーバから得て前記表示部に画面表示する手段とを備え、かつ
前記地図サーバは、前記桝目サイズを指定されて目的の地図情報にアクセスされた際にはこの目的の地図情報に指定された桝目を付加した桝目付加画面情報を指定元の携帯通信端末へ送出する手段と、前記携帯通信端末から桝目位置情報を受けた際にはこの位置の範囲を含む拡大地図情報を取り出して要求元へ送出する手段とを備えることを特徴とする地図画面表示システム。
【請求項５】
情報を画面表示する表示部を有し通信ネットワークと接続して電子メールを可能とする携帯通信端末において地図画面提供サービスシステムの地図サーバから得た地図情報を前記表示部に画面表示するシステムであって、複数の前記携帯通信端末がグループを形成し、
前記地図サーバは、前記携帯通信端末から要求される地図情報に縦横（ｍ・ｎ）に分割した桝目の位置情報を付加して前記携帯通信端末へ提供する手段と、前記携帯通信端末から一つの桝目位置情報を受けた際にはこの情報に基づいてこの位置の拡大地図情報を返送する手段とを備え、
前記携帯通信端末は、ユーザから入力されるグループの前記携帯通信端末を登録する手段と、主となった際に前記地図画面提供サービスシステムのＵＲＬ（Uniform Resource Locator)にアクセスして前記地図サーバと接続し一つの目的とする桝目位置情報を付加した地図情報を取得して画面表示する手段と、この表示画面のＵＲＬデータを残りの携帯通信端末に電子メールにより通知する手段と、かつ従となりこの電子メールを受けた際には受けたＵＲＬにアクセスし前記地図情報と同一の地図情報を取得して画面表示する手段と、前記同一地図情報の表示画面における一部を前記表示部に拡大表示する手段と、前記表示画面から一つの桝目位置情報の入力をユーザから受けた際にはこの情報を前記地図サーバに通知する手段と、この通知情報に対応する拡大地図情報の提供を受けた際にこの拡大地図情報を画面表示する手段とを備えることを特徴とする地図画面表示システム。
【請求項６】
請求項５において、前記携帯通信端末は前記目的とする地図情報を取得し画面表示した際に地図情報を縦横に分割する桝目サイズ（ｍ×ｎ）を指定して前記地図サーバに送る手段を備え、かつ、前記地図サーバは受けたサイズの桝目による位置情報を付加して前記前記携帯通信端末へ返送することを特徴とする地図画面表示システム。
【請求項７】
請求項６において、前記携帯通信端末は、桝目サイズ（ｍ×ｎ）を内部に予め設定しこの桝目サイズを自動的に指定して前記地図サーバに送る手段を備えることを特徴とする地図画面表示システム。
【請求項８】
請求項４または請求項５において、前記地図サーバは、前記携帯通信端末から桝目位置情報を受けた際に画面表示された地図情報を縦横に分割する桝目サイズ（ｍ×ｎ）に相当するサイズに拡大して提供する手段を有することを特徴とする地図画面表示システム。
【請求項９】
請求項４または請求項５において、前記地図サーバは、前記桝目位置の地図情報を、縮尺を変更して拡大することを特徴とする地図画面表示システム。
【請求項１０】
請求項４または請求項５において、前記地図サーバは、前記桝目位置の地図情報を画面内部に含むように表示される大きさに拡大する手段を備えることを特徴とする地図画面表示システム。
【請求項１１】
請求項４または請求項５において、前記地図サーバは、前記桝目位置の地図情報の拡大に際して、送出先の携帯通信端末の画面サイズを携帯通信網の基地局に問い合わせて取得する手段を備えることを特徴とする地図画面表示システム。
【発明の詳細な説明】
【０００１】
【発明の属する技術分野】
本発明は、通信ネットワークと接続して得た情報を表示部に画面表示する携帯通信端末において地図画面提供サービスシステムの地図サーバに要求して目的とする地図情報を取得し前記表示部に画面表示する方法及びそのシステムに関し、特に、一つの携帯通信端末の表示画面が小さいにも拘わらず、目的とする広範囲の地図情報を単純操作で容易に得ることができる地図画面表示方法及びそのシステムに関する。
【０００２】
【従来の技術】
従来、この種の地図画面表示方法では、例えばブラウザを有しインターネットに接続可能な複数の携帯通信端末を用いてユーザが、地図提供サービスシステムから個々に関連する隣り合った地図画面を呼び出して一つの携帯端末では画面表示できない広範囲の詳細図面を同時に確認することができる。
【０００３】
例えば、図１１及び図１２に示されるように、携帯通信端末である四つの携帯電話１０１−１〜−４は、地図提供サービスシステム１０２の地図サーバ１２０にインターネット４を介して接続する携帯電話網３に属している。
【０００４】
また、例えば、四つの携帯電話１０１−１〜−４それぞれを用いてユーザが、図１２に示された地図画面１１０の四つの分割地域Ａ〜Ｄそれぞれを分担して地図提供サービスシステム１０２を呼び出し、地図サーバ１２０から分割地域Ａ〜Ｄそれぞれの地図画面を得ることにより,一つの地図画面１１０を４倍の大きさの表示画面で参照することができる。
【０００５】
【発明が解決しようとする課題】
上述した従来の地図画面表示方法では、次のような問題点がある。
【０００６】
すなわち、所望する分割地域の地図情報を得て連続する画面で表示するのに手間がかかることである。
【０００７】
その理由は、ユーザが各携帯通信端末により所望する分割地域の地図情報を個別に求めるので、その境界線を厳密に連続させることが困難なためである。
【０００８】
本発明の課題は、このような問題点を解決し、目的とする広範囲の地図情報を単純操作で容易に得ることができる地図画面表示方法及びそのシステムを提供することである。
【０００９】
【課題を解決するための手段】
本発明は、通信ネットワークと接続して得た情報を表示部に画面表示する携帯通信端末において地図画面提供サービスシステムの地図サーバに要求して目的とする地図情報を取得し上記表示部に画面表示する地図画面表示方法及びそのシステムに関する。
【００１０】
本発明では、複数の前記携帯通信端末がグループを形成し、これら携帯通信端末が上記目的の地図情報に重ねあわせて縦横（ｍ・ｎ）に分割した桝目のサイズ（ｍ×ｎ）を上記地図サーバに送り、この地図サーバが上記桝目の位置情報を付加する機能を有することが主要となる一つの特徴である。すなわち、携帯通信端末それぞれは、地図画面提供サービスシステムの同一ＵＲＬ（Uniform Resource Locator)により地図サーバにアクセスし、目的とする同一の地図情報を桝目付きで取得して画面表示する。携帯通信端末それぞれは、この同一の表示画面のそれぞれで、異なる桝目位置の指定により地図サーバにその拡大地図画面を要求し、この指定された分割地図の詳細画面を得て表示部に画面表示する。この結果、ユーザは複数の携帯通信端末それぞれの小さな画面で、連続する広い範囲の詳細地図、または表示画面の一部拡大詳細地図を確認することができる。
【００１１】
また、別の一つの特徴は、上述した携帯通信端末が電子メールを可能とし、グループを形成するうちの一つの携帯通信端末が、主となり、地図画面提供サービスシステムのＵＲＬから一つの目的の地図情報を取得してこの表示画面のＵＲＬデータを残りの従となる携帯通信端末に電子メールにより通知していることである。この電子メールにより全ての携帯通信端末で同一の地図情報を画面表示することができる。この結果、ユーザがそれぞれ異なる携帯通信端末を用いて同一地図画面を正確に得る手間を簡単化することができる。
【００１２】
上述した拡大表示は、縮尺を変更して対処することが好ましい。
【００１３】
また、携帯通信端末それぞれは、上述のように、目的とする同一地図情報を取得して画面表示した後に、この表示地図画面の上下左右斜めの何れか一つのそれぞれ異なる方向の指定された隣接範囲を表示できる。この結果、同一地図情報が小範囲の詳細図であっても、その周辺部分を欠けることなく連続して画面表示するので、ユーザは複数の携帯通信端末それぞれを一括することにより広範囲に画面表示された詳細地図情報を得ることができる。
【００１４】
本発明の具体的な一つでは、複数の携帯通信端末それぞれは、地図画面提供サービスシステムの同一ＵＲＬと目的の地図情報を縦横（ｍ・ｎ）に分割した桝目サイズ（ｍ×ｎ）とを受けてこのＵＲＬにアクセスする手段と、目的とする同一地図情報に桝目サイズの桝目を付加された画面情報を取得して同一の桝目付加画面を表示する手段と、ユーザから表示画面のそれぞれで異なる桝目位置の指定を受けて地図サーバに要求する手段と、この指定された範囲の画面を拡大表示する同一地図情報の部分詳細を地図サーバから得て表示部に画面表示する手段とを備えている。また、地図サーバは、桝目サイズを指定されて目的の地図情報にアクセスされた際にはこの目的の地図情報に指定された桝目を付加した桝目付加画面情報を指定元の携帯通信端末へ送出する手段と、前記携帯通信端末から桝目位置情報を受けた際にはこの位置の範囲を含む拡大地図情報を取り出して要求元へ送出する手段とを備えている。この結果、ユーザはその拡大分割地図を部分拡大地図または連続拡大地図として簡単な操作で画面表示することができる。
【００１５】
また、複数の携帯通信端末で各表示部における画面サイズが相違する場合、地図サーバは、それぞれの携帯通信端末の画面サイズを確認することにより少なくとも指定された範囲を画面内に含み欠ける地図領域のないように、拡大率または縮尺を調整することができる。
【００１６】
【発明の実施の形態】
次に、本発明の実施の形態について図面を参照して説明する。図面は、本発明に直接関係する部分のみを示し、各装置が有するプロセッサ、記憶装置、プログラムの基づく制御手段などの基本の処理手段については省略されている。
【００１７】
図１は本発明の実施の一形態を示す機能ブロック図である。
【００１８】
図１に示された地図画面表示システムでは、携帯通信端末としてＮ台の携帯電話１−１〜−Ｎがグループを形成して基地局３０を介して携帯電話網３にアクセスするものとする。携帯電話網３はインターネット４を介して地図提供サービスシステム２の地図サーバ２０に接続できる。
【００１９】
携帯電話１−１〜−Ｎそれぞれは、Ｗｅｂブラウザを有しインターネット４とアクセス可能であると共に電子メールも可能であり、表示部１０に加えて、特に本発明のため、桝目設定部１１、端末Ｇ登録部１２、ＵＲＬ送信部１３、及び受信ＵＲＬアクセス部１４を備えている。
【００２０】
地図サーバ２０は、Ｗｅｂサーバであり、特に、本発明のため、端末Ｇ登録部２１、桝目付加部２２、指定位置検索部２３、及び指定地図取出部２４を備えている。地図サーバ２０は、地図提供サービスシステム２に設定されたホームページのためのＵＲＬを有しており、ホームページにアクセスした端末へホームページ画面を送り、ホームページ画面上のリンク先ＵＲＬによりＷｅｂページに接続してそのＷｅｂページの地図画面を接続先へ提供している。
【００２１】
基地局３０は、無線回線で接続する携帯電話１−１〜−Ｎを携帯電話網３に接続し、携帯電話網３に属する端末ごとに機種、サービスクラスなどの個別情報を予め受けて登録する端末登録部３１を有している。端末登録部３１には携帯電話１−１〜−Ｎそれぞれの機種が登録されており、この機種データにより端末登録部３１それぞれの画面サイズが認識できるものとする。
【００２２】
携帯電話１−１〜−Ｎそれぞれは同一の構成及び機能を有するが、説明の便宜のため、例えば携帯電話１−１を主であるとし、携帯電話携帯電話１−２〜−Ｎを従であるとする。携帯電話１−１〜−Ｎにおける本発明による一つの主要な特徴は、携帯電話１−１〜−Ｎそれぞれが、最初に画面表示する同一地図情報（例えば、図２の４０）に重ねあわせて画面表示する縦横（ｍ・ｎ）に分割した桝目（例えば、図３の５０）のサイズ（ｍ×ｎ）を設定することである。また、他の主要な特徴は、主の携帯電話で表示された地図画面のＵＲＬが従の携帯電話に電子メールで通信されることである。
【００２３】
すなわち、電子メールにより、グループを形成した全ての携帯電話が同一の地図を確実に画面表示できる。他方、桝目の付加された同一地図は桝目で分割される領域を画面いっぱいに拡大することができる。この結果、部分拡大する個所を余分な労力なしで、すなわち容易に設定することができると共に、境界線付近で地図の欠けを防止することができる。
【００２４】
桝目設定部１１は、ユーザからの入力または電子メールの受信により上述した桝目サイズ及び桝目位置を受けて記録する。または、後述するように、桝目設定部１１には桝目サイズが予め設定されてあってもよい。端末Ｇ登録部１２には、主となる携帯電話１−１で、同一地域内の地図を画面表示するためにグループを形成した従となる携帯電話１−２〜−Ｎの電話番号またはメールアドレスが、ユーザの入力により登録される。ＵＲＬ送信部１３は、主となる携帯電話１−１において地図提供サービスシステム２のホームページを呼び出して目的とするリンク先地図を画面表示した際に画面表示された地図情報のＵＲＬを、ユーザの送信指示を受けて端末Ｇ登録部１２の登録情報に基づき、従となる携帯電話１−２〜−Ｎそれぞれへ電子メールにより送信する。
【００２５】
受信ＵＲＬアクセス部１４は、従となる例えば携帯電話１−２が、主である携帯電話１−１からＵＲＬを含む電子メールを受けた際にこれに応答することにより駆動開始し、この受けたＵＲＬに自動的にアクセスして地図サーバ２０から対応する地図情報を受けて画面表示する。この表示画面は、主となる携帯電話１−１に表示されていると同一の地図画面の筈であり、例えば図２の地図画面４０であり、例えば桝目サイズ（３×３）が付加された図４の地図画面４１である。
【００２６】
上記説明では、応答により自動アクセスするとしたが、受けたＵＲＬを用いて各ユーザが手動操作によりアクセスすることとしてもよい。アクセス先のＵＲＬは電子メールにより同一性を確保することができるので、複数の携帯電話１−２〜−Ｎそれぞれで同一地図画面情報を確実に得ることができる。
【００２７】
また、同一地図画面４０が表示された携帯電話１−１〜−Ｎそれぞれは、手分けして、例えば、地図画面４０内の複数ポイントをクリックすることにより、このポイントを中心とした地図画面に移動し、更に、例えば縮尺により拡大し詳細を表示できる。この結果、クリックするポイントと拡大する縮尺との設定により境界がオーバーラップすることもあるが複数の表示画面を併せることにより同時に広範囲の地図情報を得ることができる。
【００２８】
次に、図２から図４までに図１を併せ参照し、上述した桝目サイズ（ｍ×ｎ）を有する桝目を同一地図画面上に採用して、連続する地図情報を正確に得ることについて詳細を説明する。この機能は、連続する地図情報を複数の携帯電話の表示部に画面表示するために、上述した電子メールの使用とは無関係に、有効である。
【００２９】
端末Ｇ登録部２１は、ＵＲＬに基づく地図要求の際に同一地図情報の送信先として用いるため、主である携帯電話１−１からグループを形成した従の携帯電話１−２〜−Ｎの登録情報を受けて記録する。これは、通信の都度、グループ情報を通信することがないので、携帯電話のように通信容量の小さなシステムには有効である。
【００３０】
桝目付加部２２は、主となる携帯電話１−１から桝目サイズ（ｍ×ｎ）を有する桝目の付加を要求された際に、表示のため送信した地図画面４０に対して図３に示される桝目５０を付加した地図情報、すなわち、図４に示されるような桝目５１を有する地図画面４１を作成し、同一グループ内の携帯電話１−１〜−Ｎへ送信する。
【００３１】
指定位置検索部２３は、各携帯電話１−ｉから桝目サイズ（ｍ×ｎ）における桝目位置の指定を受けた際に、指定された範囲の地図情報を検索する。指定地図取出部２４は、検索した桝目サイズ（ｍ×ｎ）に拡大する縮尺で地図格納領域から取り出し、指定元の各携帯電話１−ｉへ送信する。従って、図４に示されるような桝目サイズ（３×３）の桝目５１を有する地図において、例えば、上を北として五十六駅の西側ブロック位置（２・１）が指定された場合にはこの範囲の地図が画面４１いっぱいの９倍に拡大され、この拡大された詳細図が画面表示される。
【００３２】
通常、地図サーバ２０に予め格納される地図情報の拡大倍率と各携帯電話１−１〜−Ｎの画面サイズとは一致しない。従って、指定地図取出部２４は、指定された地図範囲が画面内に最大に入る縮尺を選択する。更に、通常、グループ内の携帯電話１−１〜−Ｎそれぞれは、機種に相違があり、同一画面サイズとは限らない。このため、指定地図取出部２４は、基地局３０の端末登録部３１からグループ内の携帯電話１−１〜−Ｎそれぞれの表示画面サイズを求め、上述したように、指定された地図範囲が画面内に最大に入る縮尺を選択している。
【００３３】
次に、図５及び図６に図１から図４までを併せ参照して、本システムの複数電話端末における連続画面表示までの主要動作手順について説明する。フローチャートの手順ブロックは、紙面の大きさが限定されるので、一部の手順または記載が省略されている。従って、具体的な詳細は下記の説明を参照されたい。
【００３４】
図５は、グループを形成する携帯電話１−１〜−Ｎへ地図サーバ２０から桝目付加画面を送出するまでの手順の一例を示すフローチャートである。
【００３５】
まず、主となる携帯電話１−１は、ユーザから地図サーバ２０のＵＲＬの入力を受付けした際に受付けたＵＲＬにアクセス（手順Ｓ１）する。アクセスを受けた地図サーバ２０は、多くの地図に対応の各ＷｅｂページにリンクするＵＲＬを有するホームページ画面をアクセス要求元の携帯電話１−１に宛てて送出（手順Ｓ２）する。
【００３６】
携帯電話１−１は、受けたホームページを画面表示（手順Ｓ３）する。ユーザは、携帯電話１−１におけるホームページの表示画面に対して目的地の地図指定を入力する。この入力指定には、地名、駅名等の施設名、郵便番号、電話番号などによる地域指定、または店舗、住居などのアドレス指定がある。携帯電話１−１は、目的地の指定入力を受付けすることによりこのリンクＵＲＬを地図サーバ２０に送出（手順Ｓ４）する。
【００３７】
リンクＵＲＬを受けた地図サーバ２０は、受けたＵＲＬに対応するＷｅｂページの地図情報を検索して取出し、アクセス要求元の携帯電話１−１に宛てて送出（手順Ｓ５）する。携帯電話１−１は受けた地図情報、例えば図２に示される地図画面４０、を表示部１０に画面表示（手順Ｓ６）する。
【００３８】
主である携帯電話１−１のユーザは、画面表示された地図を確認して、例えば九つの携帯電話１−１〜−９のグループを形成することを図２の「Ｇ設定」にチェックすると共に、図２の桝目サイズ、例えば「ｍ＝３」および「ｎ＝３」を画面上で入力して、図示されない電子メールの作成に着手する。図示されないが、電子メールの作成では、送信先に従となる携帯電話１−２から携帯電話１−９までのアドレスが入力される。
【００３９】
このようなユーザの入力により、携帯電話１−１は、上述したＧ設定で複数アドレスの受付及び桝目サイズ（３×３）の記録を準備すると共に、電子メールの宛て先アドレスとして携帯電話１−２〜−９のアドレスを受付け（手順Ｓ７）する。
【００４０】
携帯電話１−１は、ユーザからの確定入力により、これら受付けしたデータから、グループ形成する携帯電話１−２〜−９を携帯電話１−１の端末グループとして端末Ｇ登録部１２、かつ桝目サイズ（３×３）を桝目設定部１１それぞれに登録すると共に、グループに形成された携帯電話１−２〜−９のアドレスが入力されている画面表示のＵＲＬにアクセス（手順Ｓ８）する。アクセスを受けた地図サーバ２０では、端末Ｇ登録の携帯電話アドレスが端末Ｇ登録部２１に登録され、桝目サイズ（３×３）が桝目付加部２２に送られる。従って、桝目付加部２２は、例えば図４に示されるような、対象地図情報に桝目５１を付加した桝目付加画像４１を作成（手順Ｓ９）する。
【００４１】
また上記手順Ｓ８に続いて、携帯電話１−１は、表示画面のＵＲＬ及び桝目サイズ（３×３）を有する電子メールを、端末Ｇとして登録の携帯電話アドレスへ発信（手順Ｓ１０）する。この電子メールは従の携帯電話１−２〜−９それぞれにより受け取られる。以下に、携帯電話１−２を例示して説明する。
【００４２】
携帯電話１−２は、携帯電話１−１から受けた電子メールに応答した際に、電子メールが有するＵＲＬに自動的にアクセス（手順Ｓ１１）して、電子メールの内容または添付で有する桝目サイズ（３×３）及び端末Ｇ情報を、携帯電話１−１の上記手順Ｓ８と同様に内部の端末Ｇ登録部１２及び桝目設定部１１それぞれに記録すると共に地図サーバ２０へ送出する。ここでは、地図サーバ２０での照合確認を容易にするため、従の携帯電話１−２も桝目サイズ（３×３）及び端末Ｇ情報を送出すると説明したが、主の携帯電話１−１が地図サーバ２０に既に送出しているので、通信量の削減のため、ＵＲＬによるアクセスだけでもよい。
【００４３】
地図サーバ２０は、上記手順Ｓ９により桝目付加部２２により桝目付加画面４１を作成して同一端末Ｇの携帯電話１−２〜−９からのアクセスを待っている。従って、上記手順Ｓ１１によりアクセスを受けた際には、直ちに作成済みの桝目付加画面４１が登録端末Ｇの全ての携帯電話１−１〜−９に送出（手順Ｓ１２）される。地図サーバ２０は、この桝目付加画面４１を、全部の携帯電話からアクセスされた後に一斉に送出しても、またはアクセスの都度、その相手に送出しても、何れでもよい。
【００４４】
図６は図５における上記手順Ｓ１２に続く手順を示すフローチャートである。ここでは、全ての携帯電話１−１〜−９は共通の動作手順を有する。
【００４５】
上記手順Ｓ１２により、全ての携帯電話１−１〜−９は図４に示される同一の桝目付加画面４１を受けて画面表示（手順Ｓ１３）する。ユーザは携帯電話１−１〜−９それぞれで桝目位置（ｍ・ｎ）を（１・１）から（３・３）まで割当てて位置指定枠に入力する。
【００４６】
従って、例えば、携帯電話１−２は入力される位置指定（２・１）及びその確定を受付けした際に桝目位置（２．１）を桝目設定部１１に記録すると共に地図サーバ２０へ送出（手順Ｓ１４）する。地図サーバ２０では、指定位置検索部２３が、受けた桝目位置（２．１）を、以前に受けた桝目サイズ（３×３）に基づいて地図提供サービスシステム２が有する地図データから検索する。次いで、指定地図取出部２４が、この桝目位置の拡大地図画面を以前に受けた桝目サイズに基づく９倍の画面に収まる縮尺で取出し、要求元の携帯電話１−２へ送出（手順Ｓ１５）する。
【００４７】
このように、携帯電話１−１〜−９それぞれが９分割された隣接する異なる拡大地図画面を受付けして画面表示（手順Ｓ１６）するので、９つの携帯電話１−１〜−９を併合させることによりほぼ９倍の大きさの地図画面を見ることができる。
【００４８】
上記説明で、９倍の画面に収まる縮尺としたのは、通常では一致する縮尺がないためである。また、一般に、携帯電話１−１〜−９それぞれの表示画面のサイズは異なるので、指定範囲の周囲に余裕の領域を有する地図の縮尺を選択することにしている。
【００４９】
次に、図７を参照して上記説明とは別の利用方法について説明する。
【００５０】
上記説明では９つの携帯電話１−１〜−９としたが、図７では、最寄りの駅を中心として共通の同一地図画面４２を表示する例えば二つの携帯電話１−１、１−２の場合である。すなわち、最寄駅周辺の同一地図画面４２から目的地６１付近の詳細地図が欲しい場合には、例えば一方の携帯電話１−２のみが、図示されるように「ｍ＝３」および「ｎ＝１」を位置指定するとよい。この結果、目的地６１周辺を含む桝目位置（３・１）の地図画面６０のほぼ９倍に拡大された詳細地図を得ることができる。従って、ユーザは、最寄りの駅から目的地までのルートが容易に検索して確認できる。
【００５１】
次に、図８を参照して上述したとは別の桝目枠の付加について説明する。
【００５２】
図８では、携帯端末１−１がユーザにより桝目設定部１１に桝目サイズ（２×２）を予め設定されている場合である。この場合、上記手順Ｓ７で桝目サイズ指定なしでもこの設定済みのサイズが送出される。この結果、地図画面４３に対して内輪の桝目５３が付加される。この桝目付加画面の作成及び利用は上述したと同様の手順で実行できる。
【００５３】
図９では、地図画面４４の内部に桝目５４を有する場合、グループを形成する他の携帯電話の表示画面サイズが異なる場合を示す例えば縦長画面７１、横長画面７２、またはほぼ正方形画面７３があり、それぞれ表示範囲も異なる。従って拡大した際に画面の表示範囲で地図が欠けないように調整する。例えば、図1を参照して説明したように、基地局３０では端末登録部３１が各携帯電話１−１〜−Ｎの機種などを記録しているので、地図サーバ２０はその画面サイズ情報を端末登録部３１から得て縮尺を選択し決定することができる。
【００５４】
次に、図１０から図１２までに図１を併せ参照して上述したとは別の拡大地図の表示方法について説明する。
【００５５】
図１０はグループを形成する例えば携帯電話１-１〜-９が「桝目なし」で画面表示した同一地図画面４５である。この状態までの手順は上記図５において桝目サイズの指定をせず、桝目なしの地図画面が地図サーバから送出されることになる。この地図画面は拡大詳細画面の中心部分である。例えば、携帯電話１-１はそのままとし、携帯電話１-２から携帯電話１-９までのそれぞれが、この地図画面の上下左右の４方向と斜めの４方向と連続する地域を指定することにより９倍の範囲の拡大地図画面を同時に得ることができる。
【００５６】
上記説明では、手間の削減とＵＲＬ入力の確実性からＵＲＬを携帯電話間で電子メールにより転送すると共にＵＲＬの自動探索としているが、ＵＲＬのアクセスはユーザの操作であってもよい。更に、電子メールなしで同一地図に桝目付加のみであってもよい。この桝目の付加のみにより複数による拡大地図の連続性を確保することができる。
【００５７】
上記説明では、携帯電話としてのみ説明したが、他の携帯用の通信端末でも、例えば、携帯電話に接続する情報端末等にも適用可能である。
【００５８】
上記説明では、図示された機能ブロックおよび手順を参照しているが、機能の分離併合による配分または手順の前後入替えなどの変更は上記機能を満たす限り自由であり、上記説明が本発明を限定するものではなく、更に、携帯通信端末の全般に適用可能なものである。
【００５９】
【発明の効果】
以上説明したように本発明によれば、次のような効果を単独に、または併合して得ることができる。
【００６０】
第１の効果は、複数の携帯通信端末で連続する拡大地図が容易に取得できることである。
【００６１】
その理由は、複数の携帯通信端末で縦横を分割した桝目を有する同一地図画面を表示し、複数の携帯通信端末それぞれが異なる地図範囲を桝目位置で指定して地図サーバから得ているからである。また、複数の携帯通信端末それぞれが同一地図画面、並びにその上下左右及び斜めのそれぞれが異なる何れか一つを指定して地図サーバから得ているからである。
【００６２】
第２の効果は、複数の携帯通信端末それぞれが同一地図画面を正確にかつ容易に画面表示できることである。
【００６３】
その理由は、一つの携帯通信端末が主となり共通の目的となる地図画面を取得してこのＵＲＬを他の従となる携帯通信端末に電子メールで送信しているからである。各携帯通信端末が従となりＵＲＬを電子メールで受けた際に自動的の受けたＵＲＬにアクセスする機能を有することにより、更に、簡便性の向上を図ることができる。
【図面の簡単な説明】
【図１】本発明における機能ブロック及びその接続実施の一形態を示す図である。
【図２】本発明においてグループ形成された携帯通信端末で画面表示される同一地図画面の一形態を示す図である。
【図３】本発明において用いられる桝目の一形態を示す図である。
【図４】図２の地図画面に桝目が付加されて表示された一形態を示す図である。
【図５】図１における本発明の特徴となる主要動作手順の一形態を示すフローチャートである。
【図６】図５に続く主要動作手順の一形態を示すフローチャートである。
【図７】図４の地図画面で桝目位置指定の一形態を示す図である。
【図８】図４とは異なる、本発明における地図画面に桝目が付加されて表示された一形態を示す図である。
【図９】図８において分割された桝目と携帯通信端末の表示画面の大きさが相違する形態を説明する図である。
【図１０】図４とは異なる広範囲地図表示の一形態を説明する図である。
【図１１】従来における機能ブロック及びその接続実施の一例を示す図である。
【図１２】地図画面における分割の一例を示す図である。
【符号の説明】
１−１、１−Ｎ    携帯電話（携帯通信端末）
２    地図提供サービスシステム
３    携帯電話網
４    インターネット
１０    表示部
１１    桝目設定部
１２、２１    端末Ｇ登録部
１３    ＵＲＬ送信部
１４    受信ＵＲＬアクセス部
２０    地図サーバ
２２    桝目付加部
２３    指定位置検索部
２４    指定地図取出部
３０    基地局
３１    端末登録部
４０、４１、４２、４３、４４、４５、６０    地図画面
５０、５１、５２、５３、５４    桝目
６１    目的地
７１    縦長画面
７２    横長画面
７３    正方形画面
【図１】
0003789357.tif 000002
【図２】
0003789357.tif 000003
【図３】
0003789357.tif 000004
【図４】
0003789357.tif 000005
【図５】
0003789357.tif 000006
【図６】
0003789357.tif 000007
【図７】
0003789357.tif 000008
【図８】
0003789357.tif 000009
【図９】
0003789357.tif 000010
【図１０】
0003789357.tif 000011
【図１１】
0003789357.tif 000012
【図１２】
0003789357.tif 000013